(57)【要約】【課題】釣竿操作を容易、快適にさせる。【解決手段】リール固定装置１８を取り付ける部分１０Ｃがその前方の釣竿本体部１０Ａに対して連結部１０Ｂを介して偏心しており、前記連結部と釣竿本体部との結合折れ曲り部の外側コーナー部Ｇ２から釣竿の概ね長手方向に沿って設けられており、前記リール固定装置から引き出された釣糸２４を前記釣竿本体部内に案内すると共に、外側に開放されている案内通路２８を有しており、該案内通路の開口幅が開放縁部２９の近くで外側に広がっているよう構成する。【選択図】図３
2004000270.tif 000002
【特許請求の範囲】
【請求項１】
　リール固定装置を取り付ける部分がその前方の釣竿本体部に対して連結部を介して偏心しており、
　前記連結部と釣竿本体部との結合折れ曲り部の外側コーナー部から釣竿の概ね長手方向に沿って設けられており、前記リール固定装置から引き出された釣糸を前記釣竿本体部内に案内すると共に、外側に開放されている案内通路を有しており、
　該案内通路の開口幅が開放縁部の近くで外側に広がっていることを特徴とする船竿。
【発明の詳細な説明】
【技術分野】
【０００１】
　本発明は、フォアグリップを有し、リール載置部が低くなっている低重心の船竿に関し、中通し式釣竿の他、外ガイド式の釣竿も含む。小さなボート用のボート竿も含む。
【背景技術】
【０００２】
　船竿の使用では、操作する足元が揺れると共に、狭い場所で操作する必要があるため、リールの前方のフォアグリップを握って、特に安定させるように保持して操作を行う必要がある。
　安定した操作を行うには、リールを装着した場合に重心が低くなる設計が好ましく、また、グリップの把持感のよいことが望まれる。更には、船の上では、釣竿を安定した状態で保持しつつ釣糸を指で直接に摘んだりして手釣り感覚で釣りを行いたい場合がある。また、釣竿を船弦に取り付けた釣竿支持装置に支持させる場合に、一般に操作場所が狭いので、場所の制約があっても釣竿操作が快適になるように、釣竿の所望位置で支持できるよう、支持位置を自由に選びたい。
【発明の開示】
【発明が解決しようとする課題】
【０００３】
　解決しようとする問題点は、釣竿操作を容易、快適にさせることである。
【課題を解決するための手段】
【０００４】
　上記目的に鑑みて本発明は、リール固定装置を取り付ける部分がその前方の釣竿本体部に対して連結部を介して偏心しており、前記連結部と釣竿本体部との結合折れ曲り部の外側コーナー部から釣竿の概ね長手方向に沿って設けられており、前記リール固定装置から引き出された釣糸を前記釣竿本体部内に案内すると共に、外側に開放されている案内通路を有しており、該案内通路の開口幅が開放縁部の近くで外側に広がっていることを特徴とする船竿を提供する。
　この外側に広がっている部分は案内通路の前端部のみや後端部のみでもよく、全長に亘って形成されている必要はない。
【発明の効果】
【０００５】
　リール固定装置を取り付ける部分がその前方の釣竿本体部に対して偏心しているため、この取付部分の上下面の釣竿本体部に近い面側にリールを取り付ければ、真直な釣竿に比べ重心が釣竿本体部に近づいた釣竿となり、操作が安定する。また、リールの装着位置が低くなり、その分、リールから引き出した釣糸を釣竿内部に導入案内する角度が小さくなり、釣糸抵抗が小さくなる。更には、釣糸案内通路の開口幅が開放縁部の近くで外側に広がっているため、釣糸を手で抜き出して釣り操作した後、釣糸を離しただけで何処かに引っ掛らず案内通路内に戻り易い。従って、釣竿操作を容易、快適にすることができる。
【発明を実施するための最良の形態】
【０００６】
　以下、本発明を添付図面に示す形態例に基づき、更に詳細に説明する。
　図１は本発明に係る船竿の一例としての中通し釣竿の側面図である。元竿本体１０Ａと、この本体に対して下方にＬ２だけ偏心していると共に、リール２０を固定するリール固定装着１８を取り付ける部分１０Ｃとを、連結部１０Ｂによって連結して元竿１０を構成している。この形態例では、取付部１０Ｃと連結部１０Ｂとは一体のハンドル部材として形成されており、これと元竿本体１０Ａとが一体に接続され、その先に中竿１２と穂先竿１４とを振出式や並継式に継ぎ合わせている。
【０００７】
　ハンドル部材の後端部から元竿本体に近い折れ曲り部までの長さＬ１は、連結部１０Ｂをフォアグリップとして容易に把持するために長過ぎてはならないが、竿尻部品２６を腹にあてがってポンピング操作を行う場合に、竿を引き寄せると握持したフォアグリップ位置が肩の位置に来るように設定すれば強い力で引き寄せることができる。そのための寸法Ｌ１は、概ね４０〜６０ｃｍ程度である。また、元竿本体１０Ａに対して距離Ｌ２だけ下方に偏心しているため、リール２０を装着して低重心釣竿となって操作が安定すると共に、このポンピング操作において両軸受型リール２０が胸に当たり難くなる。
【０００８】
　これらの竿管とハンドル部材とは熱硬化性樹脂や熱可塑性樹脂をマトリックスとした強化繊維（ＦＲＰ，ＦＲＴＰ）等によって形成されており、ハンドル部材と元竿本体１０Ａとは一体的に形成していても、別体に形成したものを接続固定してもよい。
【０００９】
　図３を参照すれば判るように、連結部１０Ｂの前部は元竿本体１０Ａの後部に一体化されているが、この上部には釣糸２４の案内通路２８が形成されており、釣糸２４はこの中を通る。この案内通路２８の上部２９はリール２０の側から長手方向に沿って外側に開放している。従って、２点鎖線２４’で示すように釣糸２４を案内通路２８の外側に引出すことができる。この案内通路２８の開放縁部２９は下記の釣糸導入ガイド２２に亘るまで開放されているが、途中までであってもよい。また、この開放縁部２９に、開閉自在なカバー部材を取り付けてもよい。
【００１０】
　図７に示すように、案内通路２８の開口の開放縁部２９が傾斜面Ｓ１によって外側に向って広がっており、開口幅Ｗ２が下方の幅Ｗ１よりも大きい。従って、釣糸２４を引出して操作した後、離せば釣糸２４は案内通路２８内にガイドされて戻り易い。この傾斜面Ｓ１は凸や凹の曲面状であってもよい。更には、２点鎖線Ｓ２で示すように案内通路の側壁が底部から上端に向って傾斜状に広がっていてもよい。
　開放縁部２９の頂点部は図のように滑らかな曲面で形成されていると把持した手が当接しても痛くない。
【００１１】
　元竿本体１０Ａの後部にはセラミックス製のガイドリングから成る釣糸導入ガイド２２が取付けられており、上記案内通路２８を通過した釣糸２４は該釣糸導入ガイド２２を通って先端のトップガイド１６から外に出る。この形態例では案内通路２８を有する連結部１０Ｂがフォアグリップ用把持部であり、ここを把持して釣糸２４を手の中に握り込む状態で釣り操作を行うため、元竿１０の後部１０Ｃが偏心していても釣り操作が安定するし、案内通路２８の側壁面の存在のため釣糸２４が手に当ることが防止できる。
【００１２】
　また、このように下方に偏心したリール取付部１０Ｃを使用しているため、リール２０から引出された釣糸２４の高さ位置は低く設定され、元竿本体１０Ａ等の中心付近に挿入される。従って、連結部の図１や図３における側面視の高さ（幅）をあまり大きく設定しなくても釣糸２４を包み込むように挿通させることができ、このフォアグリップの把持が容易になり、釣り操作が安定する。
【００１３】
　この中通し釣竿の使用時に糸送りや糸抜きの各操作を行うには、リール２０が案内通路２８の後ろの近くに固定されているためそのままでは操作空間が足りない。そこで図３に２４’で示すように釣糸を開放部２９から引出して操作でき、手による送りや糸抜き操作が容易になる。
【００１４】
　上述した連結部１０Ｂを握持する場合に、連結部１０Ｂと元竿本体１０Ａとを結合させる折れ曲り部の内側、即ち前面握り部Ｇ１を半径Ｒ１が４０ｍｍの曲率以下の曲率（半径が４０ｍｍ以上となる曲率）の曲面状に形成して竿元側に窪ませれば握持が容易になる。更には、この曲面に重ねて、指の大きさの凹部を２〜４個形成して握持が更に容易になるようにしてもよい。また、この連結部１０Ｂと釣竿本体部１０Ａとを結合させる折れ曲り部の外側コーナー部Ｇ２の側面視を、大きな半径Ｒ２を有する曲面状態に形成して、握持した手の親指やその基部が痛くないように形成すると、握持感が向上し、操作性がよくなる。
【００１５】
　また、図６に示すように前面握り部Ｇ１を滑らかな凹凸曲面にして、各凹部Ｙ１，Ｙ２，Ｙ３，Ｙ４を夫々人差し指、中指、薬指、小指が収まる大きさに形成すれば、握持が容易になる。また、凹部の底を滑らかに結んだ２点鎖線で示す曲線が、半径Ｒ１が４０ｍｍの曲率以下の曲率で後方に窪んだ形に形成されておれば更に握り易い。ここでの凹部の数は４個であるが、例えば２個、３個であったり、５個以上であってもよい。２個であれば、一般には人差し指と中指を引っ掛け、５個以上の場合は適する凹部を選択できる。
【００１６】
　図１の矢視線Ｄ−Ｄによる拡大部分横断面を図４に示す。案内通路２８の開放縁部２９の内、上記外側コーナー部Ｇ２を図のように曲面状に形成すると共に、その肉厚Ｌ３を、その下部の壁部肉厚Ｌ４に比べて大きく膨出形成している。従って、この部分を手や指で握持した場合に、手や指が痛まない。膨出形成するには、図４に示すように連結部１０Ｂの外方側に膨出した部分３２Ｓと、案内通路側に膨出した部分３２Ｕとを有してもよく、また、一方のみに膨出していてもよい。
【００１７】
　再び、図１から図３を参照すると、案内通路２８の側壁部の開放縁部２９に、指で釣糸２４を押えることのできる大きさの切欠部３０を形成している。これによって、連結部を握持した釣竿操作を確保しつつ、釣糸２４を指で直接に押えたり、摘んだりして手釣りの感覚で釣りが可能となる。
　この切欠部３０の代りに、案内通路２８の底面を図７に２点鎖線Ｓ３で示す底面Ｓ３のように、部分的に底上げさせておけば、開放縁部２９の開口幅が指の幅程度以上であれば、容易に釣糸２４を指で直接に押えることができる。
【００１８】
　図５に示す船竿によれば、リール取付部１０Ｃと連結部１０Ｂとを結合している折れ曲り部の外側コーナー部が前方に向って突出した突出部３４を形成しており、この突出部３４の存在によって、釣竿を下方から支持する支持装置（図示せず）の支持範囲がＬ５からＬ５＋Ｌ６まで広がる。従って、支持位置の選択幅が広がり、操作性が容易になる。また、この突出部３４は連結部１０Ｂを握る空間３６を確保する限り、２点鎖線３４’のように元竿本体１０Ａに至る程度まで曲げて延長してもよい。
【産業上の利用可能性】
【００１９】
　中通し式釣竿の他、外ガイド式の釣竿も含み、小さなボート用のボート竿も含む船竿に利用可能である。
【図面の簡単な説明】
【００２０】
【図１】図１は本発明に係る船竿の側面図である。
【図２】図２は図１の要部の平面図である。
【図３】図３は図１の要部の拡大部分断面図である。
【図４】図４は図１の矢視線Ｄ−Ｄによる拡大横断面図である。
【図５】図５は参考例の要部側面図である。
【図６】図６は連結部における前面握り部領域の別形態例側面図である。
【図７】図７は本発明に係る案内通路の横断面図である。
【符号の説明】
【００２１】
　１０Ａ　　　　　元竿本体
　１０Ｂ　　　　　連結部
　１０Ｃ　　　　　リール取付部
　１８　　　　　　リール固定装置
　２２　　　　　　釣糸導入ガイド
　２８　　　　　　案内通路
　３０　　　　　　切欠部
【図１】
2004000270.tif 000003
【図２】
2004000270.tif 000004
【図３】
2004000270.tif 000005
【図４】
2004000270.tif 000006
【図５】
2004000270.tif 000007
【図６】
2004000270.tif 000008
【図７】
2004000270.tif 000009